(57)【要約】      （修正有）【課題】伝送速度が向上したコネクタを提供する。【解決手段】コネクタは、基部と、該基部の先端壁から延出するように形成される舌片１１５とを含むインシュレータ１と、前記インシュレータ１にインサート成型され、第一導電端子と第二導電端子を有する複数の導電端子２と、インシュレータ１を被覆し、相手コネクタを挿入される収容空間が形成するシェル３とを含み、回路基板に直立に実装されるコネクタにおいて、導電端子２は、第一導電端子と第二導電端子とを含み、前記第一導電端子は第一接触部と第一接続部とを有し、前記第二導電端子は第二接触部と第二接続部とを有し、前記第一接触部と第二接触部は、相手コネクタと嵌合する方向に前後二列で舌片１１５の左側壁に露出するように配置され、第二接触部は収容空間において第一接触部より奥側に位置することを特徴とする。【選択図】図３
0003150980.tif 000002
【実用新案登録請求の範囲】
【請求項１】
基部と、前記基部の先端壁から延出するように形成される舌片とを含むインシュレータと、
前記インシュレータにインサート成型され、第一導電端子と第二導電端子とを有する複数の導電端子と、
前記インシュレータを被覆し、相手コネクタを挿入される収容空間が形成するシェルと
を含み、回路基板に直立に実装されるコネクタにおいて、
前記導電端子は、第一導電端子と第二導電端子とを含み、前記第一導電端子は第一接触部と第一接続部とを有し、前記第二導電端子は第二接触部と第二接続部とを有し、前記第一接触部と第二接触部は、相手コネクタと嵌合する方向に前後二列で前記舌片の左側壁に露出するように配置され、第二接触部は収容空間において第一接触部より奥側に位置することを特徴とするコネクタ。
【請求項２】
前記舌片の左側壁と前記シェルの左側板との間の距離は、前記舌片の右側壁と前記シェルの右側板との間の距離と異なることを特徴とする請求項１に記載のコネクタ。
【請求項３】
前記舌片のサイズは、ＵＳＢ２．０規格によるコネクタにおいての舌片と同じで、前記第二導電端子はＵＳＢ２．０規格によるコネクタにおいての導電端子と同じであることを特徴とする請求項１に記載のコネクタ。
【請求項４】
前記第一導電端子は、二対の差動信号端子と前記二対の差動信号端子の間に位置する接地端子とを含むことを特徴とする請求項３に記載のコネクタ。
【請求項５】
前記第一接触部が平板状を呈するように舌片の左側壁に露出し、第二接触部が片持ち梁を呈するように舌片の左側壁に露出し、前記第二接触部が前記第一接触部より収容空間へさらに突出することを特徴とする請求項１に記載のコネクタ。
【考案の詳細な説明】
【技術分野】
【０００１】
本考案は、コネクタに関して、特に、伝送速度を提高できるコネクタに関する。
【背景技術】
【０００２】
ユニバーサル・シリアス・バス（ＵＳＢ）コネクタは、信号伝送の目的でコンピュータ産業で一般に使用されている。ＵＳＢインターフェイス規格として、ＵＳＢ１.０と、ＵＳＢ１.１と、ＵＳＢ２.０との規格を順に発表され、そのＵＳＢ１.０インターフェイス規格によるコネクタの伝送速率は１.５Ｍbpsであり、ＵＳＢ１.１インターフェイス規格によるコネクタの伝送速率は１２Ｍbpsであり、ＵＳＢ２.０インターフェイス規格によるコネクタの伝送速率は４８０Ｍbpsである。今、コネクタは一般にＵＳＢ２.０インターフェイス規格を採用する。従来技術のUSB規格のコネクタが特許文献１を参照すると、回路基板に実装され、相手コネクタに嵌合でき、回路基板の占有面積を減少するために、コネクタが直立に実装される。従来のコネクタは、複数の導電端子と、前記導電端子を保持するためのインシュレータと、インシュレータを包囲するためのシェルと、を含み、前記インシュレータは基部と、前記基部から延出するように形成された舌片とが形成し、前記舌片の幅方向が前記回路基板に正交するように形成される。
【先行技術文献】
【特許文献】
【０００３】
【特許文献１】米国特許第６１０９９３５号明細書
【考案の概要】
【考案が解決しようとする課題】
【０００４】
電子業の発展に従って、ＵＳＢ２.０規格に拠るコネクタの伝送速度が発展の要求に満足せず、例えば、音楽や映画を伝送する場合には、伝送速度が１Ｇbps以上に達し、この時、ＵＳＢ２.０規格のメモリ装置は、伝送速度の使用要求を満足できないので使用が制限される。今、音楽や映画などの資料を伝送する場合に、高速伝送できるSerial-ATA規格等のコネクタが常に使用されっている。だが、応用の方面において、ＵＳＢ規格のコネクはSerial-ATA規格等のコネクタより広くなって、Serial-ATA規格等のコネクタの導電端子の数量が多いので、コネクタの体積が大きくなり、電子業の小型化の発展に符合せず、ＵＳＢ規格によるコネクタの体積がより小さく、接続が簡単で部品やコストが安いなどの特徴があるので、電子業界の発展に有利になっている。そこで、ＵＳＢインターフェイス規格に拠り、高速伝送できる新型なコネクタを開発することが必要である。
【０００５】
本考案は、伝送速度が向上になっているコネクタを提供することを目的とする。
【課題を解決するための手段】
【０００６】
本考案のコネクタは、基部と、該基部の先端壁から延出するように形成される舌片とを含むインシュレータと、前記インシュレータにインサート成型され、第一導電端子と第二導電端子とを有する複数の導電端子と、前記インシュレータを被覆し、相手コネクタを挿入される収容空間が形成するシェルとを含み、回路基板に直立に実装されるコネクタにおいて、前記導電端子は、第一導電端子と第二導電端子とを含み、前記第一導電端子は第一接触部と第一接続部とを有し、前記第二導電端子は第二接触部と第二接続部とを有し、前記第一接触部と第二接触部は、相手コネクタと嵌合する方向に前後二列で前記舌片の左側壁に露出するように配置され、第二接触部は収容空間において第一接触部より奥側に位置することを特徴とする。
【考案の効果】
【０００７】
従来技術に比べ、本考案のコネクタは以下の利点を有し、従来技術より第一導電端子を増加することにより伝送速度が向上し、また、前記第一導電端子の第一接触部と第二導電端子の第二接触部は舌片の左側壁に位置することによって、舌片の厚さが減少することに有利になって、コネクタが回路基板に直立に実装されるので、電子部品の小型化の発展に有利になっている。
【図面の簡単な説明】
【０００８】
【図１】本考案に係るコネクタの組立斜視図である。
【図２】図１に示すコネクタの正視図である。
【図３】本考案に係るコネクタの部分の分解斜視図である。
【図４】図３に示すコネクタのほかの角度から見た部分の分解斜視図である。
【図５】本考案に係るコネクタの分解斜視図である。
【図６】図５に示すコネクタのほかの角度から見た分解斜視図である。
【図７】本考案に係るコネクタの他の実施状態での組立斜視図である。
【図８】本考案に係るコネクタの他の実施状態での分解斜視図である。
【図９】図８に示すコネクタの他の角度から見た解斜視図である。
【考案を実施するための形態】
【０００９】
以下、図１〜図６を参照すると、本考案のコネクタ１００の第一実施形態について、添付図面を参照して説明する。コネクタ１００は、回路基板（図示せず）に実装され、インシュレータ１と、インシュレータ１に保持する複数の導電端子２と、インシュレータ１に被覆するためのシェル３とを含む。
【００１０】
前記インシュレータ１は、第一本体１１と第一本体１１に係合するための第二本体１２とを含み、前第一本体１１は、基部１１１と、基部１１１の先端面１１２から延出するように形成された舌片１１５とを含み、該舌片１１５は前記基部１１１の頂壁１１３と回路基板に対向する取付壁１１４に正交するように配置される左右側壁１１５１，１１５２が設けられる。
【００１１】
前記導電端子２は、前記第一本体１１と第二本体１２にそれぞれインサート成型により保持された第一導電端子２１と第二導電端子２２とを含み、前記第一導電端子２１は前記舌片１１５の左側壁１１５１に露出する第一接触部２１１と、取付壁１１４を突出する第一接続部２１２とを有し、前記第一接触部２１１が平板状を呈するように舌片１１５に貼り付けられる。
【００１２】
前記第一本体１１は、第二本体１２に接続するための複数の係合溝１１７を備える接続面１１６を有し、前記第二本体１２は第一本体１１の接続面１１６に対応するための被接続面１２１を有し、該被接続面１２１には前記係合溝１１７に係合して、前記第一本体１１及び第二本体１２を保持するための係合凸部１２２が形成される。該第二本体１２は、先端壁１２３と、頂壁１２４と、回路基板に対向する取付壁１２５とを備える。前記第二本体１２に保持溝１３と凹み部１４がそれぞれ形成する。
【００１３】
前記第二導電端子２２は、第二本体１２の先端壁１２３を突出するように延出する第二接触部２２１と、第二本体１２の取付面１２４を突出する第二接続部２２２とを含む。第一本体１１と第二本体１２とが係合する際において、前記第二接触部２２１は前記舌片１１５の左側壁１１５１に形成された収容溝１５１１に収容して前記舌片１１５の左側壁１１５１を突出するように配置される。第一導電端子２１の第一接触部２１１と第二導電端子２２の第二接触部２２１が舌片１１５の左側壁に二列で配置される。第二接続部２２２が前記取付面１１４，１２５と平行で第二本体２２の一側へ向きに突出するように形成される。
【００１４】
前記第一導電端子２１は、高周波信号を伝送するための二対の差動信号端子２１３と、一本の接地端子２１４とを有し、接地端子が二対の差動信号端子の間に配置されることによってノイズが減少する。前記第二導電端子２２は、四本のＵＳＢ２．０インターフェイス規格に符合するものであり、前記四本の第二導電端子２２はそれぞれ、ＶＣＣ電源回路、Ｄ−データ伝送回路、Ｄ＋データ伝送回路及びＧＮＤ電源回路用の端子であり、Ｄ＋データ伝送回路用端子及びＤ−データ伝送回路用端子はデータ伝送に用いられ、ＶＣＣ電源回路用端子とＧＮＤ電源回路用端子はＵＳＢホスト或いは電源供給器の提供する作業電流を受け取ることができる。
【００１５】
前記シェル３は絶縁本体１の外周を被覆し、シェル３と前記舌片１１５の間に相手コネクタ（図示せず）を収容するための収容空間３１が形成する。シェル３は、天板３２と底板３３と、前記舌片１１５の左右側壁１１５１，１１５２と平行に配置する左側板３４及び右側板３５と、を含み、前記天板３２、底板３３、左右側板３４，３５には相手コネクタに押圧するための押圧弾性片３６がそれぞれ前記収容空間３１に突出するように形成される。そのシェル３の左側板３４と舌片１１５の左側壁１１５１との間の距離はシェル３の右板３５と舌片１１５の右側壁１１５２との間の距離より大きくなる。シェル３の左右側板３４，３５にはインシュレータ１の凹み部１４に当接するための弾性片３８がそれぞれ形成され、シェルの左右側板３４，３５には回路基板に接続するための接続片３７が形成される。
【００１６】
前記第一導電端子２１の第一接触部２１１と第二導電端子２２の第二接触部２２１は、相手コネクタと嵌合する方向に前後二列で舌片１１５の左側壁１１５１に露出するように配置され、第二接触部２２１は収容空間３１において第一接触部２１１より奥側に位置することによって、第一接触部２１１と第二接触部２２１が一列に配置する際で端子同士の間のノイズを生じることが防止でき、舌片１１５の厚さが減少するので、電子業の小型化の発展に有利になっている。前記第一接触部２１１が平板状を呈するように舌片１１５の左側壁１１５１に露出し、第二接触部２２１が片持ち梁を呈するように舌片１１５に露出するので、第二接触部２２１が第一接触部２１１より収容空間３１へさらに突出する。
【００１７】
前記舌片１１５のサイズはＵＳＢ２．０インターフェイス規格に対応するＵＳＢコネクタの舌片と同じで、コネクタ１００は、二対の差動信号端子２１３を増加することを通じて、コネクタ１００と相手コネクタとの間の伝送速度が向上になっている。また、コネクタ１００はＵＳＢ２．０規格ポートを兼用するだけでなく、他種の相手コネクタに嵌合して得るので、コネクタ１００の応用性が高められ、前記導電端子２の数量がSerial-ATA規格等のコネクタより少さく、且つ、コネクタ１００が回路基板に直立に実装され、即ち、舌片１１５の幅方向が回路基板に正交するので、コネクタ１００の小型化に有利になっている。
【００１８】
図７乃至図９を参照すると、本考案のコネクタの他の実施状態であり、他実施状態においてのコネクタ１００’は第一実施状態とことなることは、第一導電端子２１’と第二導電端子２２’の接続部２１２’，２２２’は取付面１１４’，１２５’に正交するように形成される。
【００１９】
以上、本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００２０】
１００  コネクタ
１  インシュレータ
１１  第一本体
１２  第二本体
１１５  舌片
２  導電端子
２１  第一導電端子
２２  第二導電端子
３  シェル
【図１】
0003150980.tif 000003
【図２】
0003150980.tif 000004
【図３】
0003150980.tif 000005
【図４】
0003150980.tif 000006
【図５】
0003150980.tif 000007
【図６】
0003150980.tif 000008
【図７】
0003150980.tif 000009
【図８】
0003150980.tif 000010
【図９】
0003150980.tif 000011